(57)【特許請求の範囲】
【請求項１】
笠材と、取付金具と、笠材よりも軟質な消音ガイド部材を備えており、取付金具は、笠材を躯体に取り付けるものであり、消音ガイド部材は、笠材の長手方向に延びる本体部と、本体部の両端から笠材の長手方向に直交して延びる挟持部を有しており、取付金具に消音ガイド部材を取り付けてあって、消音ガイド部材の両端の挟持部が笠材の長手方向の両側から取付金具を挟んでおり、笠材と消音ガイド部材の本体部の一方に笠材の長手方向に延びる溝状の被係止部を設けてあり、他方に被係止部に向けて突出する係止部を設けてあり、係止部は笠材の長手方向にのみ摺動可能な状態で被係止部に挟み込まれていて、笠材が取付金具に対して笠材の長手方向にのみ移動可能に保持されていることを特徴とする笠木。
【発明の詳細な説明】
【技術分野】
【０００１】
本発明は、おもにバルコニーや通路等に設置される笠木に関するものである。
【背景技術】
【０００２】
一般住宅や集合住宅に設置されるバルコニーあるいは、通路等の躯体の立ち上がりの上に、住人や通行人が手をかけるための笠木が取り付けてある。
【先行技術文献】
【特許文献】
【０００３】
【特許文献１】特開２００８−２３１６６８号公報
【発明の開示】
【発明が解決しようとする課題】
【０００４】
上記の笠木の中には、笠材がアルミやスチール製の長尺な金属押出し材から成形されたものがある。このような笠木にあっては、日照等により熱を帯びた笠材が熱伸びし、さらに、上記の熱膨張した笠材が冷えて収縮したとき等に、図３（ａ）のように、笠材の弾性復帰に伴って取付金具等と擦れ合って甲高い金属音が発生する。このことから、笠木を設置している建物の住人や、あるいは、設置場所の近隣住人にとっては、上記の金属音が耳障りで不快感を伴う問題点があった。
【０００５】
本発明は、上記課題を鑑みてなされたものであり、笠材の熱延びと収縮を原因とする不快な金属音の発生を抑えることのできる笠木を提供することにある。
【課題を解決するための手段】
【０００６】
本発明の請求項１記載の発明は、笠材と、取付金具と、笠材よりも軟質な消音ガイド部材を備えており、取付金具は、笠材を躯体に取り付けるものであり、消音ガイド部材は、笠材の長手方向に延びる本体部と、本体部の両端から笠材の長手方向に直交して延びる挟持部を有しており、取付金具に消音ガイド部材を取り付けてあって、消音ガイド部材の両端の挟持部が笠材の長手方向の両側から取付金具を挟んでおり、笠材と消音ガイド部材の本体部の一方に笠材の長手方向に延びる溝状の被係止部を設けてあり、他方に被係止部に向けて突出する係止部を設けてあり、係止部は笠材の長手方向にのみ摺動可能な状態で被係止部に挟み込まれていて、笠材が取付金具に対して笠材の長手方向にのみ移動可能に保持されていることを特徴とする。
【発明の効果】
【０００８】
本発明によれば、平時は、消音ガイド部材で笠材を挟むように保持しているが、日照等で笠材が熱膨張したときに、笠材が消音ガイド部材を挟み込む状態で保持したままで笠材の長手方向への熱伸びのみを許容する。これにより、笠材が弾性復帰したときや、あるいは、笠材が収縮したときに、取付金具と擦れ合うような金属音の発生を抑えられるので、住人や周辺の住民に不快感を与えない笠木を提供できる。
【図面の簡単な説明】
【００１０】
【図１】（ａ）は、本実施による笠木の全体を示す縦断面図であり、（ｂ）は、（ａ）中Ａ―Ａ線断面図である。
【図２】（ａ）は、図１中Ｂを拡大して示す縦断面図であり、（ｂ）は、消音ガイド部材の取付金具への取付状態を示す斜視図である。
【図３】（ａ）は、従来の笠木の笠材が熱伸びした状態を簡略化して示す縦断面図であり、（ｂ）は、本実施による笠木の笠材が熱伸びしたときの状態を簡略化して示す縦断面図である。
【図４】本実施による笠木の全体を示す斜視図である。
【図５】本発明の他の実施形態であり、（ａ）は、縦断面図であり、（ｂ）は、取付金具と消音ガイド部材の取付状態を示す斜視図である。
【図６】図５中Ｃを拡大し、笠木の笠材の熱伸び時の作用を示す一部を切欠した斜視図である。
【発明を実施するための形態】
【００１１】
以下、本発明の笠木について、バルコニーの手摺に適用した実施形態を各図面に基づいて説明する。
【００１２】
本実施による笠木は、図１（ａ）のように、笠材１と、取付金具２と、消音ガイド部材３とから構成されている。
そして、上記の笠木を施工する場所については、本実施では、図４のように、手摺壁とも呼ばれる、躯体から立ち上がる壁体（躯体）４の上端に設置するものである。
笠材１は、図１（ａ）のように、巾広でほぼコ字状をなしており、さらに、上記の笠材１下端部には、笠材１の巾方向に間隔をあけた二箇所に金具取付片５，５が垂下している。また、金具取付片５，５には、それぞれが対面する向きに突出した係止部８，８がそれぞれ設けてある。さらに、上記の係止部８は、笠材１の長手方向に連続して設けてある。
【００１３】
取付金具２は、下端部が壁体４の上端に安定して載置できるように扁平である。また、上記の取付金具２の扁平な部位には、上下に貫通する挿通孔１０が設けてあり、ネジやビス、釘等の固定具１１を挿通して壁体４の上端に対する固定を容易にしている。さらに、上記の取付金具２の両側端部には、ほぼ垂直に起立した笠材取付片６，６がそれぞれ設けてある。また、取付金具２の各笠材取付片６，６の外周部には、それぞれが内向きに窪んだ溝部７を有しており、各溝部７，７には、消音ガイド部材３，３が嵌合される。
【００１４】
消音ガイド部材３は、硬質の樹脂で成形されており、取付金具２の笠材取付片６の溝部７に嵌り込むブロック状をなしていて、笠材１の長手方向に延びる本体部３１と、本体部３１の両端から笠材１の長手方向に直交して延びる挟持部３２を有している。また、消音ガイド部材３の外周部には、笠材１の係止部８と係止する被係止部９が設けてある。消音ガイド部材３は、本体部３１が取付金具２の溝部７に嵌め込まれ、本体部３１の両端の挟持部３２が笠材１の長手方向の両側から取付金具２を挟むが、消音ガイド部材３が嵌合したときには、消音ガイド部材３が被係止部９の外周側よりも僅かに張り出した状態で配置される。これにより、消音ガイド部材３の被係止部９が、取付金具２よりも優先して笠材１の係止部８に係止される。
【００１５】
上記のように形成した笠木は、笠材１の熱伸びが起きたときに以下のような作用、効果を奏する。
笠材１が熱伸びしたときに、笠材１の係止部８と係止している消音ガイド部材３の被係止部９が硬質な樹脂で成形してあることから、笠材１が熱伸びしたときに、笠材１よりも柔らかい樹脂製の被係止部９による拘束力を上回って被係止部９に沿ってほぼ水平に摺動する。これにより、係止部８と被係止部９との係止状態を保ったまま、笠材１の熱伸びが遮られることなく許容されることで、図３（ｂ）のように、笠材１の弾性変形が大きくならない。これに対し、従来、取付金具２で強固に固定されていた笠材１では、図３（ａ）のように、熱伸びを許容されずに弾性変形して彎曲した笠材１が復帰し、取付金具２と擦れ合って大きな金属音が発生したが、本実施による笠木では、消音ガイド部材３が笠材１と取付金具２との取付箇所に配置されることで、不快な金属音の発生が抑えられる。  
【００１６】
図５（ａ）（ｂ）に示すものは、本発明の他の実施形態の笠木である。
本笠木は、取付金具２の両側端部の下端に取り付けた消音ガイド部材１３により、笠材１を支持するものである。取付金具２の両側端部１２，１２が笠材１の内周側に弾性的に嵌合していることで、取付金具２の両側端部１２，１２の下端に取り付けた消音ガイド部材１３は、笠材１の両側端部に設けてある受部１４に対して抜け出し不能な状態で係止する。しかしながら、受部１４は、笠材１の長手方向に沿って連続して設けてあることから、笠材１と取付金具２は、笠材１の長手方向にのみスライドさせることが可能となる。これにより、図６のように、笠材１が熱膨張したときに、取付金具２による保持を維持したまま、笠材１の熱伸びは許容され、そのまま笠材１の長手方向に熱伸びする。このことから、笠材１と取付金具２が強く擦れ合わずに大きな金属音を発することがなく、上記の実施形態と同様に、笠材１の周辺に不快な音を発しない構造となる。
尚、符号１５は、笠材１と取付金具１３との接触箇所を緩衝する緩衝部材である。
【００１７】
本発明の笠木は、笠材１の長手方向に沿って取付金具２が笠材１を係止する構造の笠木であれば、笠材１、取付金具２、消音ガイド部材３等の形状や大きさについて上記の各実施形態に限定されない。
このうち、消音ガイド部材３は、上記の実施形態では取付金具２側に嵌合してあるが、笠材１側に設けてあってもよく、笠材１と取付金具２の間に配置してあるとともに、笠材１と取付金具２のそれぞれを取り付けることのできる構造であればよい。さらに、消音ガイド部材３は、上記実施形態では樹脂で成形してあるが、笠材１の熱伸びを許容しつつ、消音ガイド部材３による笠材１と取付金具２との保持状態を維持できるものであればよい。また、本発明による笠木は、上記実施形態ではバルコニーに適用したものについて説明しているが、通路やスロープ、階段、間仕切り等、その適用範囲を限定するものではない。笠材１や取付金具２の材質についても、上記実施形態ではアルミ製のものを使用したがその他の金属が使用されていてもよい。
【符号の説明】
【００１８】
１  笠材
２  取付金具
３，１３  消音ガイド部材
４  壁体
５  金具取付片
６  笠材取付片
７  溝部
８  係止部
９  被係止部
１０  挿通孔
１１  固定具
１２  両側端部
１４  受部
【図１】
0006636701.tif 000002
【図２】
0006636701.tif 000003
【図３】
0006636701.tif 000004
【図４】
0006636701.tif 000005
【図５】
0006636701.tif 000006
【図６】
0006636701.tif 000007